(57)【要約】  シート（１６）が設けられた開口した上端部（１３）を有する管状体（１０）を有し、封止部（２１）と、軸方向に破断可能なシール（２５）であって、管状体（１０）の上端部（１３）周囲に着装される下部スカート（２５ａ）および、破断可能な半径方向ブリッジ（２６）によって封止部（２１）内に組み込まれる上部エッジ（２５ｂ）により形成されるシール（２５）とを備えるプラスチック蓋（２０）をさらに有するタイプの缶のための密閉構成における改良である。管状体（１０）の上端部（１３）は、管状体（１０）の残りの部分のうち、最大の断面輪郭より小さな断面輪郭を呈するため、蓋（２０）の輪郭は管状体（１０）の上記最大の断面輪郭より内側に保持され、並んで配置される隣り合った２つの缶の蓋（２０）は互いに接触しない。
2007505011.tif 000002
【特許請求の範囲】
【請求項１】
閉口した下端部（１１）とシート（１６）が設けられた開口した上端部（１３）とを有する管状体（１０）と、
一体片のプラスチック材料からなる蓋（２０）であって、シート（１６）に取り外し可能にかつ密閉して着装される封止部（２１）を備え、シート（１６）から半径方向外側に突出する蓋（２０）と、
その周囲延在部の領域において軸方向に破断可能であるシール（２５）であって、管状体（１０）の上端部（１３）周囲に緊密着装される下部スカート（２５ａ）および、蓋（２０）が最初に開口されるときに封止部（２１）からシール（２５）を分離するための引張り力を受けると裂ける、破断可能な半径方向ブリッジ（２６）によって封止部（２１）内に組み込まれる上部エッジ（２５ｂ）を有するシール（２５）とを備えるタイプの缶用の改良された密閉構成であって、
前記改良は、シール（２５）の下部スカート（２５ａ）が周囲に着装された管状体（１０）の上端部（１３）が、管状体（１０）の残りの部分のうちで最大の断面輪郭より小さな断面輪郭を呈するため、蓋（２０）の輪郭は管状体（１０）の前記最大の断面輪郭より内側に保持され、並んで配置される隣り合う２つの缶の蓋（２０）の互いの接触が避けられることを特徴とする、改良された密閉構成。
【請求項２】
管状体（１０）の上端部（１３）は、上端部（１３）と実質的に同じ断面輪郭と、シール（２５）の下部スカート（２５ａ）の高さよりも大きな高さとを呈する管状体（１０）の上部（１０ａ）で画定されることを特徴とする、請求項１に記載の改良された密閉構成。
【請求項３】
管状体（１０）は、上部（１０ａ）の下方に画定され、管状体（１０）の下端部（１１）によって下方の制限を受ける基部（１０ｃ）を備えることを特徴とする、請求項２に記載の改良された密閉構成。
【請求項４】
管状体（１０）の基部（１０ｃ）は、実質的に一定で、上部（１０ａ）の断面輪郭より大きな断面輪郭を呈することを特徴とする、請求項３に記載の改良された密閉構成。
【請求項５】
管状体（１０）の上部（１０ａ）は、移行部分（１０ｂ）によって管状体（１０）の基部（１０ｃ）に結合され、移行部分（１０ｂ）の断面側部は、上方へ収束している２つの直線分によって画定されることを特徴とする、請求項３に記載の改良された密閉構成。
【請求項６】
管状体（１０）は、管状体（１０）の上端部（１３）に二重巻締めされている外側エッジと、蓋（２０）の封止部（２１）を着装するためのシート（１６）を画定する内側エッジとを有する環状上部壁（１５）をさらに備えることを特徴とする、請求項１から５のいずれか一項に記載の改良された密閉構成。
【発明の詳細な説明】
【技術分野】
【０００１】
本発明は、金属性のシートから得られ、管状体を備えるタイプの缶のための密閉構成の改良に関し、管状体は下部エッジと上部エッジとを備える。下部エッジは、底部壁を固定するか、または組み込み、上部エッジは、管状体の変形部分によって直接に、もしくは構造上リングの形状をとることが可能な環状上壁部によって、プレス嵌めするプラスチック蓋を着装し、かつ保持するためのシートを備えるものである。特に、本発明は、上記で考慮され、かつ一定の食料製品等の段階的に消費される製品を入れるために使用されるタイプの缶のプラスチック蓋を備える密閉構成に関する。
【背景技術】
【０００２】
一定の食料製品等の特定の製品は、密封保存されなければならず、かつ製品を収めて市販する容器が未開封であることを消費者が明確に視認できる必要がある。これらの製品の多くが段階的に消費されるものであること考慮すれば、再び閉められた缶の密封性を保証し、かつ缶の中身の残部を保護するために、最初に容器が開封されたときに、缶内部へのアクセスを可能にする蓋は、保存された製品の段階的な消費において必要な限り何度でも再び閉められることが可能であることが不可欠となる。
【０００３】
当業者によく知られているものとしては、プレス嵌めされる蓋を備える缶があるが、この蓋は圧力によって周辺構造リングに嵌められ、この周辺構造リングは缶本体の上部縁端の内側にあり、密閉されて周囲を二重巻締めされる。缶の中身の密封性は、このタイプの構成においては、蓋を着装および保持するシートに嵌合することより保証されるが、缶の環状上壁を画定する上記構造リング内あるいは缶の管状体内に、このシートを設けてもよい。
【０００４】
ブラジル特許出願第０００３７２７−３号明細書、およびブラジル特許出願第０２０３９５０−８号明細書、ブラジル特許出願第０３０３１３８−１号明細書からも解決策が知られているが、この解決策においては、プラスチック蓋が封止部と手動で破断可能なシールとを含んでおり、封止部はシートに取り外し可能に着装かつ保持され、シールは缶の管状体の上端部およびその周囲に配置され、破断可能な連結部によって封止部に連結されている。
【０００５】
段階的に消費される製品を入れる缶用の従来技術の蓋の不具合が解消される一方で、上記の出願人によるこれらの従来技術の解決案は、まだ改良の余地がある不具合を呈する。
【０００６】
上記の出願人によって提案された従来技術の解決案においては、缶本体の上端部およびその周囲に配置されたシールに蓋が取り付けられており、この上端部は缶の管状体の断面輪郭と実質的に等しい輪郭を呈する。このように、断面輪郭から半径方向外側に突出しているシールに蓋が配置され、したがって、別の缶に並んでかつ隣り合って配置される缶の蓋のシールと衝突しやすい。
【０００７】
既に充填され密閉された缶の梱包作業を行う間、および内部で缶が互いに接触したまま箱またはパレットに入れられて輸送される間もまた、別の缶の蓋に衝突して缶の蓋のシールが、部分的あるいは完全に裂ける可能性がある。
【０００８】
たとえ部分的であってもシールが裂けると、売買業者および消費者は、缶の内容物が侵された可能性が在ることを認識する。いったん缶の内容物の完全性に関する信頼性が失われると、市販される包装済みの製品は廃棄されなければならない。
【０００９】
知られている解決案の別の不具合は、缶を積み重ねれば、真上に配置された缶の管状体の通常二重巻締めされた下部エッジを缶の蓋がそのシール上で受けるという事実から起こるものである。この構成においては、上側の缶の下部エッジが乗るそれぞれのシールの周方向沿いにおいてのみ、積み重ねられた上側の缶の重量が下側の缶に加えられる。このように、積み重ね荷重は、シール上に画定された特定の限られた蓋の領域に集中する。さらにまた、シールは、好ましくはそれらの周辺領域において、小さい上部円周壁を組み込むべきであり、この上部円周壁は、下方の缶の上に積み重ねられた缶の管状体の下端部外周の外側に維持されており、缶が格納されている縦軸方向配置から外れて、缶が不正に半径方向に移動しないよう停止手段を画定する。
【発明の開示】
【発明が解決しようとする課題】
【００１０】
本発明の一般的な目的は、ここで考慮しているタイプの缶のための改良された密閉構成であって、簡潔かつ低コストの構造を有し、信頼性のある不正開封防止機能の付いたシールを備えたプラスチック蓋を使用し、このシールは、別の缶の横側に隣り合って配置されている同じタイプの缶の蓋に接触しないように配置され、これらの缶を包装し、輸送し、かつ保管する間、この蓋のシールの完全性を保証する、改良された密閉構成を提供することである。
【００１１】
本発明のさらなる目的は、上述のような改良された缶の密閉構成であって、蓋の特定かつ限られた領域に積み重ね荷重が集中することなく、確実に缶を積み重ねることが可能な、改良された密閉構成を提供することである。
【課題を解決するための手段】
【００１２】
上記で規定された一般的な目的は、閉口した下端部とシートが設けられた開口した上端部とを有する管状体と、一体片のプラスチック材料からなる蓋であって、シートに取り外し可能にかつ密閉して着装される封止部を備え、シートから半径方向外側に突出する蓋と、その周囲延在部の領域において軸方向に破断可能なシールであって、管状体の上端部周囲に緊密着装される下部スカートと、破断可能な半径方向ブリッジによって封止部内側に組み込まれる上部エッジであって、破断可能な半径方向ブリッジは、蓋が最初に開口されるときに封止部からシールを分離するための引張り力を受けると裂ける上部エッジとを有するシールとを備えるタイプの缶を提供することによって達成される。
【００１３】
本発明によると、管状体の上端部は、その周囲にシールの下部スカートが着装されており、管状体の残りの部分のうち最大の断面輪郭よりも小さな断面輪郭を呈するため、蓋の輪郭は管状体の上記最大断面の輪郭より内側に保持され、並んで配置される隣り合った２つの缶の蓋は互いに接触しない。
【００１４】
上記に規定された構造により、これらの缶の少なくとも２つが１グループとして、手動や機械的な操作がされ、または輸送移動される種々の操作状況の間、蓋は別の近接した缶の蓋との接触および衝突から完全に保護されることが可能となる。
【００１５】
上述の技術的効果に加えて、新規の構造により、真下に配置された缶の蓋の上方にある缶の底部のより良好な荷重分散を、シートに発生させることが可能である。
【００１６】
以下、本発明を、本発明の一実施形態の例としての添付図面を参照して説明する。
【発明を実施するための最良の形態】
【００１７】
添付の図面によると、本発明の密閉構成は、金属シートから作製される缶に適用されるが、この缶は管状体１０を備え、管状体は、底部壁１２を固定している下端部１１と、蓋２０を密封着装してシート１６を内部に画定する環状上部壁１５を二重巻締め部１４によって固定している上端部１３とを有するものである。図示された管状体１０は円形断面を呈しているが、この断面は円形よりはむしろ他の形態を呈する可能性があることを理解されたい。
【００１８】
環状上部壁１５およびシート１６の構造は、蓋２０が缶の上部に密閉されかつしっかりと嵌合されることが可能な限り、異なる形態で作成されてもよい。図４および５において、環状上部壁１５およびシート１６の構造はともに、本願の出願人にブラジルにおいて特許付与されたブラジル特許第９４０８６４３−５号明細書、ならびに他国において発行された特許（たとえば、米国特許第５８９９３５２号明細書、および欧州特許第０７０６４８６号明細書等）に記載されかつ特許請求されているように達成される。したがって、本明細書では、上記の詳細な記載を省略する。
【００１９】
本発明によるとかつ添付図面に示すように、蓋２０は、本願の出願人により２００３年７月２４日に出願された共係属中の特許出願第０３０３１３８−１号明細書に記載されているように構成されることが好ましい。この蓋２０は透明または透明でないプラスチック材料で得られ、シート１６に取り外し可能に着装されかつ保持される封止部２１を備え、缶の管状体１０の上端部１３上に着装される外側エッジ２１ｂを有する。蓋２０は、封止部２１を含む一体片のシール２５をさらに備え、このシール２５は管状体１０の上端部１３の周囲に一般に緊密着装された下部のスカート２５ａを有し、手動で破断可能なブリッジ２６によって封止部２１の外側エッジ２１ｂに組み込まれる上部エッジ２５ｂを呈する。
【００２０】
本発明によると、蓋２０が最初に開口されたとき、封止部２１からシール２５を分離するための引張り力を受けるとブリッジ２６は裂かれる。
【００２１】
本発明によると、封止部２１には、シール２５の周囲延在部に設けられた中断部２５ｃを介して軸方向下方に突出しているグリッピングタブ２７が組み込まれており、たとえば、下部スカート２５ａと実質的に同じ高さを維持している。
【００２２】
シール２５は、グリッピングタブ２７を下部スカート２５ａに連結する少なくとも１つの破断可能ロック２８を備えている。グリッピングタブ２７は、シール２５の一部が破断した時、たとえば破断可能ロック２８がそれぞれ破断した時のみ、手動での操作が可能となる。
【００２３】
図示された構成では、下部スカート２５ａは、シール２５の中断部２５ｃの上方、およびグリッピングタブ２７の上方に、周囲方向に延在するシールブリッジ２５ｄの端部を組み込んでいる。シールブリッジ２５ｄは第１の端部２５ｅを呈し、この第１の端部は、連結手段２５ｆによって下部スカート２５ａに組み込まれる。この連結手段２５ｆは、グリッピングタブ２７への手動アクセスを可能にするために、上記第１の端部２５ｅが下部スカート２５ａから強制的に分離されるときに裂ける。グリッピングタブ２７は、破断可能ロック２８によってシールブリッジ２５ｄの下方に組み込まれ、この破断可能ロック２８は、最初に蓋が開口されるときに手動で破断される１つ以上の軸方向ブリッジの形態をしている。
【００２４】
図示された構成では、封止部２１の外側エッジ２１ｂは小さい円筒下部リブ２１ｃを組み込み、この円筒下部リブは、好ましくは緊密に、管状体１０の上端部１３の周囲延在部を含み、下部スカート２５ａの上部エッジ２５ｂの下方に組み込まれるブリッジ２６が従属している。
【００２５】
図示するように、下部スカート２５ａが内部周囲凸部２５ｈを組み込むこともまた可能であるが、この内部周囲凸部２５ｈは、封止部２１の外側エッジ２１ｂから分離して軸方向に配置され、管状体１０の上端部１３の二重巻締め部１４の下方および管状体１０の周囲に、着装かつ軸方向に固定されるように寸法が決められる。
【００２６】
本発明によると、管状体１０の上端部１３は、管状体１０の最大の断面輪郭より小さな断面輪郭を呈するよう形成され、管状体の上記並んで配置される近接した２つの缶の蓋２０が互いに接触することはない。
【００２７】
図示されたより好ましい構造において、管状体１０は、管状体１０の上端部１３を含み、かつ上記上端部１３と実質的に同じ断面輪郭を有する上部１０ａを呈する。管状体１０の上記上部１０ａは、蓋２０のシール２５の下部スカート２５ａの高さよりも大きな高さ、または延在部を呈する。例示の実施形態において、管状体１０の上部１０ａの高さは、蓋２０の下部スカート２５ａの高さの約２倍である。
【００２８】
管状体１０の上部１０ａは、移行部分１０ｂの下方に組み込まれ、この移行部分１０ｂは、上方へ収束している２つの直線分によって画定される断面側部を呈しており、上記移行部分１０ｂは、管状体１０の上部１０ａを管状体１０の基部１０ｃに結合させている。例示の実施形態において、管状体１０の基部１０ｃは、移行部分１０ｂの下方で画定され、たいてい円形状である実質的に一定の断面輪郭を呈しているが、この基部１０ｃは管状体１０の下端部１１によって下方に制限される。
【００２９】
基部１０ｃの断面輪郭は、上部１０ａの断面輪郭より実質的に大きく、これにより蓋２０、特に、蓋２０の下部スカート２５ａ、および蓋２０のシールブリッジ２５ｄは、基部１０ｃの断面輪郭内に輪郭を画定することが可能となる。
【００３０】
図４および５に示されるように、本発明によって提案される構造によって、缶が積み重なる時、真下に配置された管状体１０の上端部１３の外側に配置されるように、缶の管状体１０の下端部１１の輪郭を上端部１３の輪郭より十分に大きくすることが可能である。この構造によって、缶を積み重ねる時には、管状体１０の底部壁１２は、真下に積み重ねて配置される管状体１０の蓋２０に乗り、蓋２０上における、より良好な積み重ね荷重の分散が保証される。上側の管状体１０の下端部１１と真下に配置されている管状体１０の蓋２０の下部スカート２５ａとの間で半径方向に干渉することにより、積み重ねられた管状体１０どうしの間でロックが行われる。
【００３１】
本発明は、一つの構造形態に関して記載したが、添付の特許請求の範囲において定められる構造上の思想から逸脱することなく、種々の変更が可能であることを理解されたい。
【図面の簡単な説明】
【００３２】
【図１】本発明による、密閉構成におけるプラスチック蓋を備える缶の斜視図である。
【図２】蓋のシールが破れた後の、図１の缶および蓋の分解斜視図である。
【図３】図１に示す缶およびプラスチック蓋の上平面図である。
【図４】図１から３に示す缶および蓋両方の、図３におけるＩＶ−ＩＶ線で切断した部分半径方向断面図である。
【図５】図４と同様の図であるが、図３におけるＶ−Ｖ線で切断した断面図である。
【図１】
2007505011.tif 000003
【図２】
2007505011.tif 000004
【図３】
2007505011.tif 000005
【図４】
2007505011.tif 000006
【図５】
2007505011.tif 000007
【国際調査報告】
2007505011.tif 000008
2007505011.tif 000009
2007505011.tif 000010